(57)【特許請求の範囲】
【請求項１】
回線交換網である第１の移動通信網をホーム網とし且つ回線交換網の移動通信網のみに適合する移動通信端末のローミング網である第２の移動通信網に備えられ、前記第２の移動通信網における前記移動通信端末の通信制御を行う通信制御装置において、
前記第２の移動通信網は、少なくともコアネットワークがＩＭＳ網であり、
第２の移動通信網にいる前記移動通信端末からの位置登録要求を受け付ける位置登録受付手段と、
前記位置登録受付手段が前記移動通信端末から受け付けた前記位置登録要求を前記第１の移動通信網における信号形態に変換して、前記第１の移動通信網の位置管理装置に前記移動通信端末の位置登録を行うと共に、前記第１の移動通信網から前記移動通信端末のユーザ情報を取得する位置登録実行手段と、
を有することを特徴とする通信制御装置。
【請求項２】
前記第２の移動通信網へのルーティング情報を前記第１の移動通信網に送信するルーティング情報送信手段を、更に有することを特徴とする請求項１に記載の通信制御装置。
【請求項３】
前記位置登録実行手段で取得した前記ユーザ情報が格納されるユーザ情報格納手段と、
前記第２の移動通信網から前記移動通信端末の在圏情報要求があると、前記ユーザ情報格納手段に格納された前記ユーザ情報に基づき、前記移動通信端末の在圏情報を送信する在圏情報送信手段を、更に有することを特徴とする請求項１又は２に記載の通信制御装置。
【請求項４】
回線交換網である第１の移動通信網をホーム網とし且つ回線交換網の移動通信網のみに適合する移動通信端末のローミング網である第２の移動通信網において、前記第２の移動通信網における前記移動通信端末の通信制御を行う通信制御方法において、
前記第２の移動通信網は、少なくともコアネットワークがＩＭＳ網であり、
第２の移動通信網にいる前記移動通信端末からの位置登録要求を受け付ける位置登録受付ステップと、
前記位置登録受付ステップで前記移動通信端末から受け付けた前記位置登録要求を前記第１の移動通信網における信号形態に変換して、前記第１の移動通信網の位置管理装置に前記移動通信端末の位置登録を行うと共に、前記第１の移動通信網から前記移動通信端末のユーザ情報を取得する位置登録実行ステップと、
を有することを特徴とする通信制御方法。
【請求項５】
回線交換網である第１の移動通信網と、前記第１の移動通信網をホーム網とし且つ回線交換網の移動通信網のみに適合する移動通信端末と、前記移動通信端末のローミング網である第２の移動通信網とを有する通信制御システムにおいて、
前記第１の移動通信網は、前記移動通信端末のユーザ情報を保持するユーザ情報保持手段と、前記第２の移動通信網からの要求に基づき前記ユーザ情報を前記第２の移動通信網に送信するユーザ情報送信手段と、を有し、
前記第２の移動通信網は、少なくともコアネットワークがＩＭＳ網であり、前記第２の移動通信網にいる前記移動通信端末からの位置登録要求を受け付ける位置登録受付手段と、前記位置登録受付手段が前記移動通信端末から受け付けた前記位置登録要求を前記第１の移動通信網における信号携帯に変換して、前記第１の移動通信網の位置管理装置に前記移動通信端末の位置登録を行うと共に、前記第１の移動通信網から前記移動通信端末のユーザ情報を取得する位置登録実行手段と、を有することを特徴とする通信制御システム。
【発明の詳細な説明】
【技術分野】
【０００１】
本発明は、第１の移動通信網から第２の移動通信網に移動する移動通信端末の通信制御を行う通信制御装置、通信制御方法及び通信制御システに関する。
【背景技術】
【０００２】
第３世代（３Ｇ）移動体通信システムの標準化プロジェクトである３ＧＰＰ（3rd Generation Partnership Project）に規定されるＩＭＳ（IP Multimedia core networkSubsystem）の仕様が非特許文献１に記載されている。
【０００３】
このＩＭＳでは、移動通信端末が、ホーム網であるＩＭＳネットワーク（ＩＭＳネットワークドメイン）から他網であるＩＭＳネットワークにローミングすることができる。そして、ローミング先のＩＭＳネットワークは、ローミング元のＩＭＳネットワークから、移動通信端末の加入者プロファイルを取得することで、ローミングする移動通信端末の位置登録を行っている。
【非特許文献１】3GPP TS 23.228 V7.5.0 (2006-09)、 3rd Generation Partnership Project; TechnicalSpecification Group Services and System Aspects; IP Multimedia Subsystem (IMS);Stage 2 (Release 7)、［平成１９年５月２日検索］、インターネット<http://www.3gpp.org/ftp/Specs/archive/23_series/23.228/23228-750.zip>
【発明の開示】
【発明が解決しようとする課題】
【０００４】
ところで、ＩＭＳネットワークとＣＳ（Circuit Switch）ネットワーク（ＣＳネットワークドメイン）とでは、網の種類が異なるため、ローミングする際に行う移動通信端末の位置登録手法が異なる。そのため、従来、ＣＳネットワークのみ契約しているユーザ（ＣＳのみを提供するネットワーク事業者における移動通信端末）は、ＩＭＳネットワークにおいて通信を行うことができなかった。そのため、ローミング先のネットワークにおいて、ＩＭＳネットワーク及びＣＳネットワークの両ネットワークを提供する必要があり、二重の開発、二重の設備投資が必要になって非効率であるという問題があった。
【０００５】
そこで、本発明は、異なる種類の移動通信網で移動通信端末の通信を行うことができる通信制御装置、通信制御方法及び通信制御システムを提供することを目的とする。
【課題を解決するための手段】
【０００６】
本発明に係る通信制御装置は、回線交換網である第１の移動通信網をホーム網とし且つ回線交換網の移動通信網のみに適合する移動通信端末のローミング網である第２の移動通信網に備えられ、第２の移動通信網における移動通信端末の通信制御を行う通信制御装置において、第２の移動通信網は、少なくともコアネットワークがＩＭＳ網であり、第２の移動通信網にいる移動通信端末からの位置登録要求を受け付ける位置登録受付手段と、位置登録受付手段が移動通信端末から受け付けた位置登録要求を第１の移動通信網における信号形態に変換して、第１の移動通信網の位置管理装置に移動通信端末の位置登録を行うと共に、第１の移動通信網から移動通信端末のユーザ情報を取得する位置登録実行手段と、を有することを特徴とする。
【０００７】
また、本発明に係る通信制御方法は、回線交換網である第１の移動通信網をホーム網とし且つ回線交換網の移動通信網のみに適合する移動通信端末のローミング網である第２の移動通信網において、第２の移動通信網における移動通信端末の通信制御を行う通信制御方法において、第２の移動通信網は、少なくともコアネットワークがＩＭＳ網であり、第２の移動通信網にいる移動通信端末からの位置登録要求を受け付ける位置登録受付ステップと、位置登録受付ステップで移動通信端末から受け付けた位置登録要求を第１の移動通信網における信号形態に変換して、第１の移動通信網の位置管理装置に移動通信端末の位置登録を行うと共に、第１の移動通信網から移動通信端末のユーザ情報を取得する位置登録実行ステップと、を有することを特徴とする。
【０００８】
また、本発明に係る通信制御システムは、回線交換網である第１の移動通信網と、第１の移動通信網をホーム網とし且つ回線交換網の移動通信網のみに適合する移動通信端末と、移動通信端末のローミング網である第２の移動通信網とを有する通信制御システムにおいて、第１の移動通信網は、移動通信端末のユーザ情報を保持するユーザ情報保持手段と、第２の移動通信網からの要求に基づきユーザ情報を第２の移動通信網に送信するユーザ情報送信手段と、を有し、第２の移動通信網は、少なくともコアネットワークがＩＭＳ網であり、第２の移動通信網にいる移動通信端末からの位置登録要求を受け付ける位置登録受付手段と、位置登録受付手段が移動通信端末から受け付けた位置登録要求を第１の移動通信網における信号携帯に変換して、第１の移動通信網の位置管理装置に移動通信端末の位置登録を行うと共に、第１の移動通信網から移動通信端末のユーザ情報を取得する位置登録実行手段と、を有することを特徴とする。
【０００９】
本発明に係る通信制御装置、通信制御方法及び通信制御システムでは、第２の移動通信網において、位置登録受付手段により受け付けた移動通信端末からの位置登録要求を、第１の移動通信網における信号形態に変換して第１の移動通信網の位置登録装置に移動通信端末の位置登録を行い、第１の移動通信網からこの移動通信端末のユーザ情報を取得する。このように、本発明によれば、少なくともコアネットワークがＩＭＳ網である第２の移動通信網に移動した回線交換網の移動通信網のみに適合する移動通信端末の位置登録を行うことができるため、ホーム網とは網の種類が異なるＩＭＳ網の移動通信網において移動通信端末の通信を行うことができ、更に、第２の移動通信網において、ユーザ情報に基づく移動通信端末へのサービスを提供することが可能となる。
【００１０】
また、第２の移動通信網へのルーティング情報を第１の移動通信網に送信するルーティング情報送信手段を、更に有することが好ましい。この通信制御装置によれば、第２の移動通信網へのルーティング情報を第１の移動通信網に送信することで、第１の移動通信網から第２の移動通信網へのルーティングを行うことができる。これにより、例えば、ローミングしている移動通信端末への着信制御を行うことが可能となる。
【００１１】
また、位置登録実行手段で取得したユーザ情報が格納されるユーザ情報格納手段と、第２の移動通信網から移動通信端末の在圏情報要求があると、ユーザ情報格納手段に格納されたユーザ情報に基づき、移動通信端末の在圏情報を送信する在圏情報送信手段を、更に有することが好ましい。この通信制御装置によれば、第１の移動通信網から取得した移動通信端末のユーザ情報を格納することで、その後も、第２の移動通信網内で、移動通信端末の在圏情報を把握することができる。このため、第２の移動通信網に在圏する移動通信端末の在圏情報要求に対して応答することができる。これにより、例えば、ローミングしている移動通信端末への着信制御を行うことが可能となる。
【発明の効果】
【００１３】
本発明によれば、異なる種類の移動通信網で移動通信端末の通信を行うことができる。
【発明を実施するための最良の形態】
【００１４】
以下、本発明の実施形態に係る通信制御装置、通信制御方法及び通信制御システムについて図面を参照して説明する。本実施形態は、本発明に係る通信制御装置を、ＨＳＳ−ＧＷに適用したものである。なお、各図において、同一要素には同一符号を付して重複する説明を省略する。
【００１５】
まず、本実施形態に係る通信制御システムの構成について説明する。図１は、本発明の実施形態に係る通信制御システムの構成を示す図である。
【００１６】
図に示すように、本実施形態に係る通信制御システム１は、移動通信端末２及び移動通信端末３と、移動通信端末２及び移動通信端末３のホーム網であるホームネットワーク４と、移動通信端末２のローミング網であるローミングネットワーク５とにより構成されている。
【００１７】
移動通信端末２及び移動通信端末３は、ホームネットワーク４をホーム網とする携帯電話機などの３Ｇ端末である。そして、移動通信端末２は、ローミングネットワーク５にローミングしている。
【００１８】
ホームネットワーク４は、３Ｇネットワーク（３Ｇネットワークドメイン）であり、ホームネットワーク４の関門交換機であるＧＭＳＣ（Gateway Mobile Switching Center）６を介して他網と接続されている。そして、ホームネットワーク４は、ホームネットワーク４に在圏する移動通信端末との間で３Ｇの無線接続を確立するＲＮＣ（Radio Network Controller）７と、移動通信端末と無線通信を行うＭＳＣ（Mobile Switching Center）／ＶＬＲ（Visitor Location Register）８と、ホームネットワーク４をホーム網とする移動通信端末の位置登録情報及び加入者プロファイルを管理するＨＬＲ（Home Location Register）９とを備えている。
【００１９】
ローミングネットワーク５は、３Ｇネットワークのアクセスネットワーク１１と、ＩＭＳネットワークのコアネットワーク１２と、アクセスネットワーク１１とコアネットワーク１２とをインタワーク接続するインタワーク装置１３とにより構成される。このローミングネットワーク５は、ＩＭＳと３Ｇとの変換を行うＭＧＣＦ（Media Gateway Control Function）１４とローミングネットワーク５の代表ＧＭＳＣ１５とを介して、他網と接続されている。
【００２０】
ローミングネットワーク５のインタワーク装置１３は、３ＧとＩＭＳとの通信プロトコル変換を行い、アクセスネットワーク１１とコアネットワーク１２との間で信号を送受する。そして、インタワーク装置１３は、移動通信端末からの位置登録要求を受信すると、この移動通信端末が、ローミングネットワーク５をホーム網とするユーザなのか、又は、ローミングネットワーク５にローミングするローミングインユーザなのかを判定する。
【００２１】
アクセスネットワーク１１は、移動通信端末２との間で３Ｇの無線接続を確立するＲＮＣ１６を備えている。ローミングネットワーク５のコアネットワーク１２は、Ｓ−ＣＳＣＦ（Serving Cell Session Control Function）１７と、Ｉ−ＣＳＣＦ（Interrogating Cell Session ControlFunction）１８と、ＨＳＳ（Home Subscriber Server）１９と、ＨＳＳ−ＧＷ（Home Subscriber Server Gateway）２０とを備えている。
【００２２】
Ｓ−ＣＳＣＦ１７は、ＳＩＰ（Session Initiation Protocol）サーバとして、移動通信端末２の登録や呼のセッション制御を行う論理ノードである。Ｉ−ＣＳＣＦ１８は、他網との関門機能を有する論理ノードである。そして、Ｉ−ＣＳＣＦ１８は、他網から移動通信端末２への接続要求時に、ＨＳＳ１９及びＨＳＳ−ＧＷ２０から移動通信端末２の在圏情報を取得して、移動通信端末２の呼セッション制御を行うＳ−ＣＳＣＦ１７を選択し、このＳ−ＣＳＣＦ１７に対して移動通信端末２の呼セッション制御を行わせる。ＨＳＳ１９は、ローミングネットワーク５をホーム網とする移動通信端末の加入者プロファイルを管理するサーバある。
【００２３】
ＨＳＳ−ＧＷ２０は、ローミングネットワーク５のローミングインユーザである移動通信端末２の加入者プロファイルを管理するサーバある。
【００２４】
ＨＳＳ―ＧＷ２０は、図２に示すように、機能的には、ローミングインユーザ位置登録受付部２１と、ローミングインユーザ他網向け位置登録実行部２２と、ローミングインユーザ加入者プロファイル格納部２３と、ローミングインユーザ着信受付部２４とを備えている。
【００２５】
そして、ＨＳＳ−ＧＷ２０は、図３に示すように、物理的には、ＣＰＵ２０１と、ＲＯＭ２０２と、ＲＡＭ２０３と、補助記憶装置２０４と、通信を制御する通信モジュール２０５と、入力デバイスである操作部２０６と、出力デバイスであるディスプレイ２０７とを備えている。図２において説明した各機能は、図３に示すＣＰＵ２０１やＲＡＭ２０３上に所定のコンピュータソフトウェアを読み込ませることにより、ＣＰＵ２０１の制御のもとで通信モジュール２０５を動作させると共に、ＲＡＭ２０３や補助記憶装置２０４におけるデータの読み出し及び書き込みを行うことで実現される。
【００２６】
ローミングインユーザ位置登録受付部２１は、ＩＭＳの通信プロトコルを用いて、ローミングネットワーク５のコアネットワーク１２に対する通信を行う。
【００２７】
具体的に説明すると、ローミングインユーザ位置登録受付部２１は、移動通信端末２の位置登録時に、ＩＭＳの位置登録要求であるＲｅｓｉｇｔｅｒをインタワーク装置１３から受け付け、このＲｅｓｉｇｔｅｒをローミングインユーザ他網向け位置登録実行部２２に送信する。そして、ローミングインユーザ位置登録受付部２１は、移動通信端末２の位置登録が終了すると、インタワーク装置１３に対して、位置登録が終了したことを示す応答を送信する。
【００２８】
また、ローミングインユーザ位置登録受付部２１は、移動通信端末２への着信時に、Ｉ−ＣＳＣＦ１８から移動通信端末２の在圏情報問合せを受信すると、ローミングインユーザ着信受付部２４に対して、ローミングインユーザ加入者プロファイル格納部２３に格納されている移動通信端末２の加入者プロファイルの読み出しを指示する。そして、ローミングインユーザ位置登録受付部２１は、ローミングインユーザ着信受付部２４を介してローミングインユーザ加入者プロファイル格納部２３から加入者プロファイルを読み出すと、この加入者プロファイルから移動通信端末２の呼セッションを行うＳ−ＣＳＣＦ１７のＳ−ＣＳＣＦ番号を取得する。そして、このＳ−ＣＳＣＦ番号を応答として、Ｉ−ＣＳＣＦ１８に送信する。なお、ローミングインユーザ位置登録受付部２１は、ローミングインユーザ加入者プロファイル格納部２３に移動通信端末２の加入者プロファイルが存在しない場合、Ｉ−ＣＳＣＦ１８に対して、移動通信端末２がローミングネットワーク５に存在しない旨の応答を送信する。
【００２９】
ローミングインユーザ他網向け位置登録実行部２２は、３Ｇの通信プロトコルを用いて、ホームネットワーク４に対する通信を行う。
【００３０】
具体的に説明すると、ローミングインユーザ他網向け位置登録実行部２２は、ローミングインユーザ位置登録受付部２１から送信されたＲｅｓｉｇｔｅｒを３Ｇの位置登録要求に変換する。そして、ローミングインユーザ他網向け位置登録実行部２２は、３Ｇの位置登録要求と自ＨＳＳ−ＧＷのＨＳＳ−ＧＷ番号とを、ホームネットワーク４のＨＬＲ９に送信する。そして、ローミングインユーザ他網向け位置登録実行部２２は、ＨＬＲ９から送信される移動通信端末２の加入者プロファイルを取得し、この加入者プロファイルをローミングインユーザ加入者プロファイル格納部２３に格納する。そして、ローミングインユーザ他網向け位置登録実行部２２は、移動通信端末２の位置登録が終了した旨をローミングインユーザ位置登録受付部２１に送信する。
【００３１】
ローミングインユーザ加入者プロファイル格納部２３は、ローミングインユーザ他網向け位置登録実行部２２が取得した移動通信端末２の加入者プロファイルが格納される記憶手段である。
【００３２】
ローミングインユーザ着信受付部２４は、ホームネットワーク４から移動通信端末２への着信制御を行う。
【００３３】
具体的に説明すると、ローミングインユーザ着信受付部２４は、ローミングネットワーク５に接続される代表ＧＭＳＣ１５のノード番号を保持している。そして、ローミングインユーザ着信受付部２４は、ホームネットワーク４のＨＬＲ９から移動通信端末２への接続先問合せを受信すると、ルーティング情報であるＭＳＲＮ（Mobile Station Roaming Number）を生成する。このＭＳＲＮは、通常、ＭＳＣのノード番号と整理番号とで構成されるが、本実施形態では、ＭＳＣの代わりに代表ＧＭＳＣ１５を用い、代表ＧＭＳＣ１５のノード番号と整理番号とで構成される。そして、ローミングインユーザ着信受付部２４は、このＭＳＲＮを応答としてＨＬＲ９に送信する。
【００３４】
また、ローミングインユーザ着信受付部２４は、ローミングインユーザ位置登録受付部２１から、移動通信端末２の加入者プロファイルの読出指示を受けると、ローミングインユーザ加入者プロファイル格納部２３から移動通信端末２の加入者プロファイルを読み出し、この加入者プロファイルをローミングインユーザ位置登録受付部２１に送信する。
【００３５】
続いて、本実施形態に係る通信制御システム１の動作について、図４及び図５を参照しながら説明する。図４は、移動通信端末の位置登録時における通信制御システムの処理動作を示すシーケンス図、図５は、移動通信端末への着信時における通信制御システムの処理動作を示すシーケンス図である。
【００３６】
まず、図４を参照して、ローミングネットワーク５にローミングする移動通信端末２の位置登録動作について説明する。
【００３７】
移動通信端末２がローミングネットワーク５のエリアに移動すると、移動通信端末２は、アクセスネットワーク１１のＲＮＣ１６を経由して、インタワーク装置１３に、３Ｇの位置登録要求を送信する（ステップＳ１）。
【００３８】
インタワーク装置１３は、この３Ｇの位置登録要求をＩＭＳのＲｅｓｉｇｔｅｒに変換する。そして、インタワーク装置１３は、位置登録要求を送信した移動通信端末２が、他網からのローミングインユーザか否かを判定する。移動通信端末がローミングインユーザでないと判定した場合、インタワーク装置１３は、このＲｅｇｉｓｔｅｒをＨＳＳ１９に送信して、ローミングネットワーク５内で移動通信端末の位置登録処理を行う。
【００３９】
一方、本実施形態のように、移動通信端末２がローミングインユーザであると判定した場合、インタワーク装置１３は、このＲｅｇｉｓｔｅｒを、ＨＳＳ−ＧＷ２０に送信する（ステップＳ２）。
【００４０】
そして、ＨＳＳ−ＧＷ２０のローミングインユーザ位置登録受付部２１は、インタワーク装置１３から送信されたＲｅｓｉｇｔｅｒを受け付けて、このＲｅｓｉｇｔｅｒをローミングインユーザ他網向け位置登録実行部２２に送信する。
【００４１】
ローミングインユーザ他網向け位置登録実行部２２は、Ｒｅｇｉｓｔｅｒを受信すると、このＲｅｓｉｇｔｅｒを３Ｇの位置登録要求に変換する（ステップＳ３）。そして、この３Ｇの位置登録要求と自ＨＳＳ−ＧＷ２０のＨＳＳ−ＧＷ番号とを、ホームネットワーク４のＨＬＲ９に送信する（ステップＳ４）。
【００４２】
ＨＬＲ９は、３Ｇの位置登録要求とＨＳＳ−ＧＷ番号とを受信すると、移動通信端末２の位置登録を行う。そして、ＨＬＲ９は、移動通信端末２の加入者プロファイルを、ＨＳＳ−ＧＷ２０に送信し（ステップＳ５）、受信したＨＳＳ−ＧＷ番号を保持しておく。
【００４３】
次に、ＨＳＳ−ＧＷ２０のローミングインユーザ他網向け位置登録実行部２２は、ＨＬＲ９から送信された移動通信端末２の加入者プロファイルを取得すると、この加入者プロファイルをローミングインユーザ加入者プロファイル格納部２３に格納する（ステップＳ６）。そして、ローミングインユーザ他網向け位置登録実行部２２は、ＨＬＲ９での位置登録が終了して加入者プロファイルを取得したことをローミングインユーザ位置登録受付部２１に通知する。
【００４４】
ローミングインユーザ位置登録受付部２１は、位置登録が終了して加入者プロファイルを取得したとの通知を受信すると、Ｒｅｇｉｓｔｅｒに対する応答をインタワーク装置１３に送信する（ステップＳ７）。
【００４５】
そして、インタワーク装置１３は、ローミングインユーザ位置登録受付部２１から応答を受信すると、Ｓ−ＣＳＣＦ１７にＲｅｇｉｓｔｅｒを送信する（ステップＳ８）。
【００４６】
その後、インタワーク装置１３とコアネットワーク１２との間で、ＩＭＳによる通常の位置登録制御が行われ、インタワーク装置１３とアクセスネットワーク１１との間で、３Ｇによる通常の位置登録制御が行われて、移動通信端末２の位置登録処理が完了する。
【００４７】
次に、図５を参照して、ホームネットワーク４に在圏する移動通信端末３から、ローミングネットワーク５に在圏する移動通信端末２への着信動作について説明する。
【００４８】
移動通信端末３が移動通信端末２に発信すると、発信番号が、ＲＮＣ７及びＭＳＣ／ＶＬＲ８を経由して、ＧＭＳＣ６に通知される（ステップＳ１１）。そして、ＧＭＳＣ６は、ＨＬＲ９に対して、移動通信端末２への接続先を問い合わせる（ステップＳ１２）。
【００４９】
ＨＬＲ９は、移動通信端末２への接続先問合せを受けると、自身が管理する移動通信端末２の加入者プロファイルから、移動通信端末２がローミングネットワーク５に在圏していることを検出し、移動通信端末２の位置登録時に保持したＨＳＳ−ＧＷ番号を宛先として、接続先問合せを送信する（ステップＳ１３）。
【００５０】
ＨＳＳ−ＧＷ２０のローミングインユーザ着信受付部２４は、ＨＬＲ９から接続先問合せを受信すると、代表ＧＭＳＣ１５のノード番号と整理番号とで構成されるＭＳＲＮを生成する。そして、ローミングインユーザ着信受付部２４は、このＭＳＲＮを応答としてＨＬＲ９に送信する（ステップＳ１４）。
【００５１】
ＨＬＲ９は、ＭＳＲＮの応答を受信すると、この応答をＧＭＳＣ６に送信する（ステップＳ１５）。そして、ＧＭＳＣ６は、ＭＳＲＮに基づき代表ＧＭＳＣ１５までルーティングし、ＭＧＣＦ１４を経由して、ローミングネットワーク５のＩ−ＣＳＣＦ１８に移動通信端末２への接続要求を送信する（ステップＳ１６）。
【００５２】
Ｉ−ＣＳＣＦ１８は、移動通信端末２への接続要求を受信すると、ＨＳＳ−ＧＷ２０に対して、移動通信端末２の在圏情報問合せを送信する（ステップＳ１７）。
【００５３】
ＨＳＳ−ＧＷ２０のローミングインユーザ位置登録受付部２１は、在圏情報問合せを受信すると、ローミングインユーザ加入者プロファイル格納部２３から移動通信端末２の加入者プロファイルを読み出す（ステップＳ１８）。具体的に説明すると、ローミングインユーザ位置登録受付部２１は、ローミングインユーザ着信受付部２４に対して、ローミングインユーザ加入者プロファイル格納部２３から移動通信端末２の加入者プロファイルを読み出すことを指示する。ローミングインユーザ着信受付部２４は、この指示を受けて、ローミングインユーザ加入者プロファイル格納部２３から移動通信端末２の加入者プロファイルの読み出し、ローミングインユーザ位置登録受付部２１に送信する。
【００５４】
そして、ローミングインユーザ位置登録受付部２１は、読み出した加入者プロファイルから、移動通信端末２の呼セッションを行うＳ−ＣＳＣＦ１７のＳ−ＣＳＣＦ番号を取得し、Ｉ−ＣＳＣＦ１８に対して、このＳ−ＣＳＣＦ番号を応答として送信する（ステップＳ１９）。
【００５５】
次に、Ｉ−ＣＳＣＦ１８は、受信したＳ−ＣＳＣＦ番号に対応するＳ−ＣＳＣＦ１７に接続要求を送信し、Ｓ−ＣＳＣＦ１７から移動通信端末２に接続要求を送信する（ステップＳ２０）。
【００５６】
その後、通常の呼制御が行われることにより、移動通信端末３から移動通信端末２への呼セッションが確立される。
【００５７】
本実施形態によれば、ローミングインユーザ位置登録受付部２１が、ローミングネットワーク５にローミングする移動通信端末２からの位置登録要求（Ｒｅｇｉｓｔｅｒ）を受け付けると、ローミングインユーザ他網向け位置登録実行部２２が、この位置登録要求を３Ｇの位置登録要求に変換してホームネットワーク４のＨＬＲ９に送信し、移動通信端末２の位置登録を行うと共に、ホームネットワーク４からこの移動通信端末２の加入者プロファイルを取得する。これにより、移動通信端末２に新たな機能を追加しなくても、３Ｇにより提供されるホームネットワーク４をホーム網とする移動通信端末２の位置登録を行うことができる。このため、ＩＭＳにより提供されるローミングネットワーク５において移動通信端末２の通信を行うことができ、更に、ローミングネットワーク５において、取得した加入者情報に基づく移動通信端末２へのサービスを提供することが可能となる。
【００５８】
また、ローミングネットワーク５の代表ＧＭＳＣのノード番号を含むＭＳＲＮをホームネットワーク４のＨＬＲ９に送信することで、ホームネットワーク４からローミングネットワーク５へのルーティングを行うことができ、ローミングネットワーク５にローミングしている移動通信端末２への着信制御を行うことが可能となる。
【００５９】
また、ＨＳＳ−ＧＷ２０のローミングインユーザ加入者プロファイル格納部２３に、ホームネットワーク４のＨＬＲ９から取得した移動通信端末２の加入者プロファイルを格納することで、その後も、ローミングネットワーク５内で、移動通信端末２の在圏情報を把握することができる。これにより、Ｉ−ＣＳＣＦ１８から、ローミングネットワーク５に在圏する移動通信端末２の在圏情報要求を受けた場合に、この在圏情報を応答することができ、ローミングネットワーク５にローミングしている移動通信端末２への着信制御を行うことが可能となる。
【００６０】
以上、本発明をその実施形態に基づき具体的に説明したが、本発明は上記実施形態に限定されるものではない。例えば、上記実施形態においては、移動通信端末２がローミングするローミングネットワーク５が、３Ｇにより提供されるアクセスネットワーク１１と、ＩＭＳにより提供されるコアネットワーク１２とにより構成されるものとして説明したが、例えば、ローミングネットワーク全体がＩＭＳにより提供されるネットワークであっても良い。
【００６１】
また、上記実施形態においては、ローミングインユーザ他網向け位置登録実行部２２が、ＩＭＳと３Ｇとの通信プロトコル変換を行うように説明したが、ローミングインユーザ位置登録受付部２１が通信プロトコル変換を行ってもよく、更に、ローミングインユーザ位置登録受付部２１とローミングインユーザ他網向け位置登録実行部２２とが一体構成となっても良い。
【図面の簡単な説明】
【００６２】
【図１】本発明の実施形態に係る通信制御システムの構成を示す図である。
【図２】ＨＳＳ−ＧＷの機能構成を例示する図である。
【図３】ＨＳＳ−ＧＷのハードウェア構成を例示する図である。
【図４】移動通信端末の位置登録時における通信制御システムの処理動作を示すシーケンス図である。
【図５】移動通信端末への着信時における通信制御システムの処理動作を示すシーケンス図である。
【符号の説明】
【００６３】
１…通信制御システム、２…移動通信端末、４…ホームネットワーク（第１の移動通信網）、５…ローミングネットワーク（第２の移動通信網）、２０…ＨＳＳ−ＧＷ（通信制御装置）、２１…ローミングインユーザ位置登録受付部（位置登録受付手段，在圏情報送信手段）、２２…ローミングインユーザ他網向け位置登録実行部（位置登録実行手段）、２３…ローミングインユーザ加入者プロファイル格納部（ユーザ情報格納手段）、２４…ローミングインユーザ着信受付部（ルーティング情報送信手段）。
【図１】
0004951426.tif 000002
【図２】
0004951426.tif 000003
【図３】
0004951426.tif 000004
【図４】
0004951426.tif 000005
【図５】
0004951426.tif 000006